(57)【要約】【課題】脱穀処理された排稈を後方搬送する排稈搬送装置と、該排稈搬送装置により搬送された排稈が排出される排出口とを備えた脱穀装置において、前記排出口から排出される排稈を、よりスムーズ且つ確実に既刈側となる左右一方側に案内した状態で排出できる脱穀装置を提供することを課題としている。【解決手段】穀稈の株元側を挟持して後方搬送するフィードチェーン１２と、該フィードチェーン１２により後方搬送される穀稈を脱穀処理する脱穀部と、脱穀処理された排稈を後方搬送する排稈搬送装置１７と、該排稈搬送装置１７により搬送された排稈が排出される排出口２１とを備えた脱穀装置において、前記排稈搬送装置１７の後端から搬送方向後方に向かって延設され、排出口２１から排出された排稈を、穂先側と交差した状態で押さえるように、該排稈搬送装置１７の搬送方向に沿って形成された抵抗体２２を設けた。【選択図】図６
2017201959.tif 000002
【特許請求の範囲】
【請求項１】
穀稈の株元側を挟持して後方搬送するフィードチェーン（１２）と、
該フィードチェーン（１２）により後方搬送される穀稈を脱穀処理する脱穀部と、
脱穀処理された排稈を後方搬送する排稈搬送装置（１７）と、
該排稈搬送装置（１７）により搬送された排稈が排出される排出口（２１）とを備えた脱穀装置において、
前記排稈搬送装置（１７）の後端から搬送方向後方に向かって延設され、排出口（２１）から排出された排稈を、穂先側と交差した状態で押さえるように、排稈搬送装置（１７）の搬送方向に沿って形成された抵抗体（２２）を設けた
ことを特徴とする脱穀装置。
【請求項２】
前記抵抗体（２２）は、基端側が回動可能に支持された棒状部材によって構成された
請求項１に記載の脱穀装置。
【請求項３】
前記抵抗体（２２）の後方に、排稈を所定量溜めてから圃場側へ排出するドロッパ装置（２６）を設けた
請求項１又は２の何れかに記載の脱穀装置。
【請求項４】
前記ドロッパ装置（２６）は、排稈を左右方向右側にガイドして排出するように構成された
請求項３に記載の脱穀装置。
【発明の詳細な説明】
【技術分野】
【０００１】
本発明は、脱穀処理された排稈を既刈側に寄せて排出できる脱穀装置に関する。
【背景技術】
【０００２】
穀稈の株元側を挟持して後方搬送するフィードチェーンと、該フィードチェーンにより後方搬送される穀稈を脱穀処理する脱穀部と、脱穀処理された排稈を後方搬送する排稈搬送装置と、該排稈搬送装置により搬送された排稈が排出される排出口とを備え、排出口から排出された排稈を左右右側の既刈側へと案内するガイド体を設けた特許文献１に記載の脱穀装置が従来公知である。
【先行技術文献】
【特許文献】
【０００３】
【特許文献１】特開２００１−１２００４３号公報
【発明の概要】
【発明が解決しようとする課題】
【０００４】
上記文献の脱穀装置によれば、排稈搬送装置によって後方搬送された排稈は、脱穀装置の後端の排出口に排稈の排出先をガイドするガイド体を設けたことにより、排稈を既刈側となる左右一方側に寄せて排出できるものであるが、排稈の排出量や種類によっては排稈の十分なガイドがされず、該脱穀装置を備えた機体が、隣接する条列の刈取作業を行う際に圃場に排出された排稈上を走行してしまう場合があり得るという課題があった。
【０００５】
本発明では、脱穀処理された排稈を後方搬送する排稈搬送装置と、該排稈搬送装置により搬送された排稈が排出される排出口とを備えた脱穀装置において、前記排出口から排出される排稈を、よりスムーズ且つ確実に既刈側となる左右一方側に案内した状態で排出できる脱穀装置を提供することを課題としている。
【課題を解決するための手段】
【０００６】
上記課題を解決するため、第１に、穀稈の株元側を挟持して後方搬送するフィードチェーン１２と、該フィードチェーン１２により後方搬送される穀稈を脱穀処理する脱穀部と、脱穀処理された排稈を後方搬送する排稈搬送装置１７と、該排稈搬送装置１７により搬送された排稈が排出される排出口２１とを備えた脱穀装置において、前記排稈搬送装置１７の後端から搬送方向後方に向かって延設され、排出口２１から排出された排稈を、穂先側と交差した状態で押さえるように、該排稈搬送装置１７の搬送方向に沿って形成された抵抗体２２を設けたことを特徴としている。
【０００７】
第２に、前記抵抗体２２は、基端側が回動可能に支持された棒状部材によって構成されたことを特徴としている。
【０００８】
第３に、前記抵抗体２２の後方に、排稈を所定量溜めてから圃場側へ排出するドロッパ装置２６を設けたことを特徴としている。
【０００９】
第４に、前記ドロッパ装置２６は、排稈を左右方向右側にガイドして排出するように構成されたことを特徴としている。
【発明の効果】
【００１０】
前記排稈搬送装置によって排出口側に排出された排稈を、穂先側と交差した状態で押さえるように形成された抵抗体を設けたことにより、排出された排稈が、穂先側を支点に回動しつつ株元側を大きく先行させて落下させることができるため、圃場側に排出される排稈を、既刈側となる左右一方側へスムーズ且つ確実にガイドすることができる。これにより、該脱穀装置を備えた機体が隣接する条列を刈取作業する際に、圃場に排出された排稈上を走行する事態をより確実に回避できる。
【００１１】
また、前記抵抗体を、基端側が回動可能に支持された棒状部材によって構成されたものによれば、排稈の搬送量に応じて、排出される排稈を押さえる長さを調整することができるため、搬送される排稈の長さや量によらず、排出される排稈の左右方向を、スムーズに既刈側へ案内することができる。
【００１２】
また、前記抵抗体の後方に、排稈を所定量溜めてから圃場側へ排出するドロッパ装置を設けたものによれば、前記抵抗体によって案内されて排出口側から圃場へ排出される排稈を、所定間隔毎の束にすることができるため、排稈の回収作業がより容易になる。
【００１３】
なお、前記ドロッパ装置は、排稈を左右方向右側にガイドして排出するように構成されたものによれば、前記抵抗体によって既刈側にガイドされた排稈を、さらに左右方向右側の既刈側へ確実に排出することができる。
【図面の簡単な説明】
【００１４】
【図１】本発明を適用した脱穀装置を備えたコンバインの平面図である。
【図２】コンバインの背面図である。
【図３】排出部を示した要部側面図である。
【図４】抵抗体を示した要部背面図である。
【図５】抵抗体を示した要部斜視図である。
【図６】抵抗体を示した要部平面図である。
【発明を実施するための形態】
【００１５】
図１は、本発明を適用した脱穀装置を備えたコンバインの平面図である。図より、本コンバインは、走行部である左右一対のクローラ式走行装置１，１に支持された走行機体２と、該走行機体２の前方に昇降可能に連結されて圃場の穀稈の刈取作業を行う前処理部３とを備えている。
【００１６】
前記走行機体２は、前処理部３の真後ろの右寄り位置にオペレータが乗込んで操向操作を行う操縦部４が設けられ、該操縦部４の後方斜め左側に前処理部３で刈取られた穀稈の脱穀作業等を行う脱穀装置６が設置され、操縦部４の後方且つ脱穀装置６の右側に脱穀された処理物である穀粒を収容するグレンタンク７が配置されている。
【００１７】
前記前処理部３は、引起装置８によって引起されるとともに前処理部３側に掻込まれた圃場の穀稈を、刈刃（図示しない）によって刈取る刈取作業を行うとともに、搬送装置１１によって刈取った穀稈を脱穀装置６側に搬送する。
【００１８】
前記脱穀装置６は、左右左側に配置されて前処理部３側の搬送装置１１から受渡された刈取穀稈の株元側を挟持して真っ直ぐに後方搬送するフィードチェーン１２と、該フィードチェーン１２により後方搬送中の刈取穀稈の脱穀作業を行う脱穀部（図示しない）と、該脱穀部の下側に配置されて脱穀された処理物を穀粒と藁屑等の排塵物とに選別する選別部（図示しない）と、脱穀された穀稈（排藁）を後端右寄り側から排出する排出部１６と、該フィードチェーン１２の後端側から脱穀処理された排藁を排出部１６側へと搬送する排藁搬送装置（排稈搬送体）１７とを備えている。
【００１９】
このとき、図１に示されるように、前記排藁搬送装置１７は、前記フィードチェーン１２の後端側から、脱穀装置後端右側の排出部１６側に向けて延設されることにより、平面視で左端側から後方右側に向けて斜めに配置されており、フィードチェーン１２の後端側で受渡された排藁を脱穀装置６の右寄りに形成された前記排出部１６へと搬送（排出）することができる。
【００２０】
該構成により、フィードチェーン１２によって穂先側が脱穀装置６に導入された穀稈は、後方搬送される間に脱穀部によって脱穀処理され、該脱穀部によって脱穀処理された脱穀物は、前記選別部によって穀粒と排塵物とに選別され、該選別部によって選別された穀粒は、揚穀ラセンによって穀粒を貯蔵するグレンタンク７側に搬送される。グレンタンク７内に収容された穀粒は、走行機体２の上面後方側から延設された排出オーガ１９を介して機外へと排出される。
【００２１】
また、前記脱穀部によって脱穀処理された穀稈（排藁）は、前記フィードチェーン１２によって脱穀装置６の後方側に搬送され、該フィードチェーン１２の後端から前記排藁搬送装置１７に受渡される。該排藁搬送装置１７に受渡された排藁の株元側は、脱穀装置６の左端側より、左右中央側に寄せられながら脱穀装置６後端の前記排出部１６側に搬送される。該排藁搬送装置１７によって搬送された排藁は、排出部１６を介して走行機体２後方の左右右側にさらに寄せられて圃場側へと排出される。
【００２２】
すなわち、排藁搬送装置１７により搬送された排藁が、排出部１６を介して走行機体２の左右右側に排出されることによって、圃場を外周から内周に向かって反時計回りに走行しながら刈取作業を行う場合に、既刈側となる方向に排藁を排出することができるため、隣接する条列の刈取作業中に圃場に排出した排藁をクローラ式走行装置１，１で踏んでしまうことを効率的に防止することができる。排出部１６の具体的な構成については後述する。
【００２３】
次に、図２乃至図６に基づき、前記排出部について説明する。図２は、コンバインの背面図であり、図３は、排出部を示した要部側面図であり、図４乃至図６は、抵抗体を示した要部背面図、要部斜視図及び要部平面図である。
【００２４】
前記排出部１６は、左右方向に長い方形状に開口形成されて前記排藁搬送装置１７の後端側まで搬送された排藁を機外へと排出する排出口２１と、該排出口２１側から排藁搬送装置１７に沿うように後方に延設された抵抗体２２と、該排出口２１の後方真下側に配置されて排出口２１から落下した排藁を切刻むカッターを有する後処理部２３と、該後処理部２３の後端側から後方に向かって延設されて排藁を左右方向右側へとガイドするガイド板２４と、該ガイド板２４の後端側に設けたドロッパ装置２６とが設けられている。
【００２５】
前記後処理部２３は、図３に示されるように、排出口２１の真下に配置されて上下が開放されたボックス体２７であって、排出口２１から落下してきた排藁を切断するカッター（図示しない）が収容されている。該ボックス体２７の上面側は、後方に向かって下方傾斜する切換板２８が設けられており、該切換板２８は、後端側の開閉軸２９を軸に前後（上下）回動操作することによって、後処理部２３の上面側を開閉作動可能に構成されている。
【００２６】
すなわち、該切換板２８を開閉操作することによって、排出口２１から排出される排藁を、切断した状態で排出する切断排出状態と、切断処理せずにそのまま排出する非切断排出状態とに切換えられる。以下、具体的に説明する。
【００２７】
該構成の後処理部２３は、切換板２８が上方回動操作された（切断排出状態に切換えられた）場合には、排出口２１から落下した排藁が、後処理部２３の上面側が開放されてボックス体２７の中に落下し、カッターによって切断処理されてそのまま圃場側に排出される。
【００２８】
このとき、前記排藁搬送装置１７は、その後端側が側面視で後処理部２３の後端側に収まる範囲で、排出口２１から若干後方側に突出する位置まで延設されるように構成されている（図３参照）。そのため、前記切換板２８が開操作されると、該切換板２８は、ボックス体２７の後端側から上方の排藁搬送装置１７の後端側までの間をカバーするように立上げられる（図３の点線参照）。これにより、排藁搬送装置１７によって後方搬送された排藁は、開操作された切換板２８によって、すべて確実にボックス部２７内にガイドされて切断処理することができる。
【００２９】
その一方で、該後処理部２３は、前記切換板２８が閉操作された（非切断排出状態に切換えられた）場合には、該切換板２８によってボックス体２７の上面側が閉じられて排出口２１から落下される排藁が、ボックス体２７の内部に落ちることなく切換板２８の上面側に落下し、後方に向かって下方傾斜した切換板２８によって、さらに後方に配置された前記ガイド板２４側にスムーズに案内される。この場合、排藁は切断処理されることなく、前記ドロッパ装置２６を介して圃場側に排出される。
【００３０】
前記ガイド板２４は、前記後処理部２３の後端側であって、平面視で前記排藁搬送装置１７の搬送方向に沿うようにして、左右方向中央から後方右側に向けて斜め方向に延設されている。また該ガイド板２４は、下方に向かって比較的緩く傾斜するように形成された第１ガイド部２４ａと、該第１ガイド部２４ａの左端側から上側に向かって屈曲形成された第２ガイド部２４ｂと、第１ガイド部２４ａの延設方向の端部側を傾斜が急になるように下方に向って屈曲形成された第３ガイド部２４ｃとが形成されている。
【００３１】
該構成により、前記ガイド板２４は、排藁が排藁搬送装置１７による搬送方向である、後方右側に向けて延設されているため、排藁搬送装置１７の後端から落下された排藁を、スムーズに前記ドロッパ装置２６側へガイドできる。
【００３２】
また、前記ガイド板２４は、前記第２ガイド部を立上げ形成したことにより、排出口２１から落下した排藁が、ドロッパ装置２６側にガイドされずに、真後ろ側へと滑り落ちてきた場合であっても、排藁をより確実にドロッパ装置２６側にガイドすることができる。言い換えると、排出口２１から真後ろ側へ滑り落ちてきた排藁が、ガイド板２４を乗越えて走行機体２の真後ろ側に落下することを防止することができる。
【００３３】
前記抵抗体２２は、排出口２１における排藁搬送装置１７の搬送端側の左右右側から排藁搬送装置１７の搬送方向に沿って後方側に延設された部材であって、脱穀装置６のフレーム側に上下回動可能に取付けられている。
【００３４】
具体的に説明すると、該抵抗体２２は、排出口２１の右上側から排藁搬送装置１７側に延設される支持部材３１と、該支持部材３１の端部側に設けたＬ字状に屈曲形成されたアンクル部材３２と、該アンクル部材３２に取付固定された取付板３３と、該取付板３３に突出形成された回動軸３４と、該回動軸３４に外装される筒状のスリーブ３６と、該スリーブ３６から後方に向かって延設される棒状の抵抗棒３７とから構成されている（図４及び図５参照）。これにより、抵抗棒３７の基端部は、排藁搬送装置１７と略同程度の高さ位置に取付けらえるとともに、搬送される排藁の穂先側となる排藁搬送装置１７の左右右側に設けられている。
【００３５】
また、該抵抗棒３７は、その中途部が下方に向ってクランク状に屈曲形成されており、抵抗棒３７の屈曲部から先端側が閉操作された切換板２８の傾斜面に沿って延設されて、落下する排藁と係合する係合部３７ａが形成されている（図３等参照）。
【００３６】
具体的には、該抵抗棒３７（抵抗体２２）は、排出口２１の上側に支持されて排藁搬送装置１７の搬送方向に沿って、後方に向かって延設されている。特に、前記係合部３７ａは、該排藁搬送装置１７の後端から搬送方向後方に向って延設され、該係合部３７ａが、排藁搬送装置１７によって搬送された排藁の穂先側を前記切換板２８と挟むことができる長さＨに形成されている（図３及び図６参照）。
【００３７】
さらに、該抵抗棒３７の中途部と、前記取付板３３との間には、引張りスプリング（図示しない）が設けられており、抵抗棒３７が下方（切換板２８）側に向って付勢されるように構成されている。該引張りスプリングは、取付板３３側に複数個所穿設された係止孔の係止箇所が変更されることにより、前記抵抗棒３７によって排藁の穂先側を押さえる力を調整できるように構成されている。
【００３８】
該構成により、前記後処理部２３を用いずに排出する非切断排出状態の場合、排藁搬送装置１７の後端側まで搬送されて排出口２１から落下する排藁は、その穂先側が、抵抗棒３７と切換板２８の上面側との間に挟まれて抵抗を受けるように構成されるため、排出口２１から落下した排藁は、株元側が穂先側よりも先行して落下するように構成されている。
【００３９】
言い換えると、排出口２１から排出された排藁は、前記抵抗体２２によって、穂先側を支点にして株元側が左右右側へ向けて回動するようして落下する（図２及び図３参照）。これにより、前記排藁搬送装置１７によって中央から左右右寄りに排出された排藁は、排藁の株元側がより脱穀装置６の右方向に寄せられた状態で前記ガイド板２４側に落下する。
【００４０】
これにより、排出口から落下した排藁は、後方斜め右側に延設された前記ガイド板２４側のガイド（延設）方向に沿った状態で落下するため、ガイド板２４（ドロッパ装置２６）側によりスムーズにガイドされる。
【００４１】
ちなみに、前記抵抗棒３７は、前記切換板２８が開操作されている切断排出状態の場合には、抵抗棒３７を切換板２８に合わせて上方回動させ、上方を向いた切換板２８の先端側に載置することによって、退避状態に切換えることができる（図３参照）。これにより、抵抗棒３７がボックス内のカッター側に接触する事態をより確実に防止できるため、安全性が向上する。
【００４２】
前記ドロッパ装置２６は、前記ガイド板２４（第３ガイド板２４ｃ）の後端側に設けられており、走行機体２の後方右側に向かって延設された複数の棒状部材からなる受け杆２７と、該受け杆２７を上下回動可能に支持するドロッパ軸２８と、脱穀装置６の枠体上面側に支持されて受け杆側に延接されるように吊下げ支持されるガイド杆２９とを備えている。
【００４３】
前記受け杆２７は、ドロッパ軸２８を軸に水平方向より若干上方回動された状態で保持されることによって、ガイド板２４側から案内されてきた排藁を受止める受止姿勢と、受け杆２７がドロッパ軸２８を軸に下方回動作動することによって、受け杆２７上に積上げられた排藁を圃場側に排出する（落下させる）排出姿勢とに切換えることができるように構成されている。
【００４４】
該受け杆２７は、所定時間、前記受止姿勢で保持されて、受け杆２７上に排藁がある程度貯められた状態で、排出姿勢に切換えられることにより、排藁を所定の束としてまとめて圃場に排出することができる。また、該受け杆２７は、排出姿勢によって受け杆２７上の排藁が落下されると、素早く受止姿勢に戻される。
【００４５】
ちなみに、前記ドロッパ装置２６による上記受け杆２７の姿勢切換は、前記排藁搬送装置１７の駆動中、所定時間によって自動的に姿勢切換される構成の他、受け杆２７上に載置された排藁の重さを検出するセンサを設け、受け杆上に所定以上の重さの排藁が検出された場合に、排出姿勢に切換えられるように構成しても良い。
【００４６】
前記ガイド杆２９は、一端側が排出口２１上方の脱穀装置６の天板側に支持された支持部３０に支持されて、他（自由）端側が受け杆２７側に向けて後方右側に向かって延設された棒状の第１ガイド杆２９Ａと、同様に一端側が支持部３０側に支持されて他端側が受け杆２７側に向けて後方右側に向かって延設されるとともに、その中途部が走行機体２の真後ろ方向に向けて屈曲形成された第２ガイド杆２９Ｂとを有している（図１参照）。
【００４７】
また、各ガイド杆２９Ａ，２９Ｂは、平面視で支持部からドロップ装置（受け杆）側まで延設されるとともに、自由端側がドロップ装置２６の受け杆２７側に向かって下方に屈曲形成されている。これにより、受け杆２７上に積上げられていく排藁を後側から支えることができるように形成されている（図２及び図３参照）。
【００４８】
該構成により、排出口２１から落下してガイド板２４によってガイドされた排藁は、第１ガイド板２４ａから第３ガイド板２４ｃに落下する際に、一対の前記ガイド杆２９Ａ，２９Ｂによって受け杆２７側にガイドされるため、排出口２１から排出された排藁が受け杆２７上にスムーズに積上げられる。
【００４９】
また、前記第１ガイド杆２９Ａによって、受け杆上の排藁の中央右寄りの位置を押さえ、前記第２ガイド杆２９Ｂによって、受け杆２７上の中央左寄りの位置を押さえることで、ドロッパ装置２６による排出作動によらずに排藁が受け杆２７から落下することを効率的に防止することができる。
【００５０】
該構成のドロッパ装置２６によれば、前記抵抗体２２及びガイド板２４によって左右方向右側に寄せて案内された排藁を、より走行機体２の右端側に寄せた状態で圃場に排出することができるため、刈取作業時にクローラ式走行装置１が隣接する既刈側に排出された排藁上を走行する事態をより確実に防止できる。
【符号の説明】
【００５１】
１２    フィードチェーン
１７    排藁搬送装置（排稈搬送装置）
２１    排出口
２２    抵抗体
２６    ドロッパ装置
【図１】
2017201959.tif 000003
【図２】
2017201959.tif 000004
【図３】
2017201959.tif 000005
【図４】
2017201959.tif 000006
【図５】
2017201959.tif 000007
【図６】
2017201959.tif 000008